(57)【特許請求の範囲】
【請求項１】
ポリエチレン製ソール材と、前記ソール材の上に定着される芯材とから成り、前記芯材は、２枚の木質系板材の中間に木質系の補強材を挟入して構成され、前記補強材は、竹複合材の突板で構成されていることを特徴とするスノーボード製造用素材。
【請求項２】
前記木質系板材は、ポプラ材である、請求項１に記載のスノーボード製造用素材。
【請求項３】
請求項１又は２に記載のスノーボード製造用素材と、完成品の型紙となる１
又は複数のテンプレートとを少なくとも含む、スノーボード製造用キット。
【請求項４】
作り方説明書と、切削工具と、研磨材と、塗装材のうちの１又は複数を更に含む、請求項３に記載のスノーボード製造用キット。
【発明の詳細な説明】
【技術分野】
【０００１】
本発明は、スノーボード製造用素材及びそれを含むキットで、利用者が好みに合わせて仕上げて最終製品とすることができるスノーボード製造用キットに関するものである。
【背景技術】
【０００２】
スノーボードは一般に、ポリエチレン製のソール１１と、ソール１１の両側に配置されるスチールエッジ１２と、ボードの側面を構成するＡＢＳ樹脂製のサイドウォール１３と、サイドウォール１３の内側に配置される木芯又はポリウレタン、強化繊維材等製の芯材１４と、ＡＢＳ樹脂製の表面材１５とから成り、芯材１４には、ガラス繊維強化樹脂や軽金属板等の補強材１６が埋設される（図２参照）。
【０００３】
このように従来の一般的スノーボードは、石油製品系プラスチックやガラス繊維等の人工素材を主材として構成されているために、廃棄処理が容易ではない。
【０００４】
また、通例、スノーボードは完成品として販売されており、一般需要者自らが、好みの形状や色合いに仕上げることができるような態様では供給されていない。
【先行技術文献】
【特許文献】
【０００５】
【特許文献１】特開平８−３３６９０３号公報
【特許文献２】特開２００２−１５９６１３号公報
【特許文献３】実用新案登録第３０４８６７９号公報
【発明の概要】
【発明が解決しようとする課題】
【０００６】
上述したように、従来のスノーボードは、石油製品系プラスチック及びガラス繊維を主材として構成されているために、廃棄処理上問題があり、また、スノーボードは完成品として販売されるため、一般需要者が、自ら好みの形状や色合いに仕上げたいとの要望を持っていても、これに応え得る供給態勢が整っていなかった。
【０００７】
そこで本発明は、構成材料を変更して廃棄処理に便ならしめたスノーボード製造用素材、及び、一般需要者自らが好みの形状や色合いに仕上げることを可能にした、スノーボード製造用キットを提供することを課題とする。
【課題を解決するための手段】
【０００８】
上記課題を解決するための請求項１に記載の発明は、ポリエチレン製ソール材と、前記ソール材の上に定着される芯材とから成り、前記芯材は、２枚の木質系板材の中間に木質系の補強材を挟入して構成され、前記補強材は、竹複合材の突板で構成されていることを特徴とするスノーボード製造用素材である。
【０００９】
一実施形態においては、前記木質系板材は、例えば、ポプラ材で構成される。
【００１０】
上記課題を解決するための請求項３に記載の発明は、請求項１又は２に記載のスノーボード製造用素材と、完成品の型紙となる１又は複数のテンプレートとを少なくとも含む、スノーボード製造用キットである。
【００１１】
一実施形態においては更に、作り方説明書と、切削工具と、研磨材と、塗装材のうちの１又は複数を含む。
【発明の効果】
【００１２】
本発明は上述したとおりであって、本発明に係るスノーボード製造用素材は、ポリエチレン製ソール材と、前記ソール材の上に定着される芯材とから成り、前記芯材は２枚の木質系板材の中間に竹複合材の突板で構成されている補強材を挟入して構成されるものであって、従来製品の様な石油製品系プラスチックやガラス繊維等を用いることなく、主に自然素材を用いて構成されるため、比較的低廉にて供給でき、取り扱いやすく、また、一般的方法での焼却処理等が可能といった効果がある。
【００１３】
また、本発明に係るスノーボード製造用キットは、上記スノーボード製造用素材と、完成品の型紙となる１又は複数のテンプレートとを少なくとも含み、更に、作り方説明書と、切削工具と、研磨材と、塗装材のうちの１又は複数を含むものである。そのため当該キットの購入者は、好みのテンプレートを選択し、これを木質系のスノーボード製造用素材に重ね、当該素材の周縁部をそのテンプレートに合わせて切削し、その後適宜研磨及び塗装を施すことにより、好みの形状及びデザインのスノーボードを容易に製造することができ、以て、購入者にとって満足のいく個性に富んだスノーボードの入手が可能となり、また、自ら好みの形態のボードに仕上げていく楽しみを味わうことができる効果がある。
【図面の簡単な説明】
【００１４】
【図１】本発明に係るスノーボード製造用素材の構成を示す簡略断面図である。
【図２】従来のスノーボードの内部構成を示す簡略断面図である。
【発明を実施するための形態】
【００１５】
以下に、本発明を実施するための形態について、図面に依拠して説明する。図１は、本発明に係るスノーボード製造用素材の構成を示す簡略断面図であり、当該素材は、ポリエチレン製ソール材１と、ソール材１の上にバインダーを介して定着される芯材２とから成る。バインダーとしては、通例、エポキシ樹脂が用いられる。
【００１６】
芯材２は２枚の木質系板材３から成り、その中間に、やはり木質系の補強材４が上記バインダーで接着挟入されて構成される。木質系板材３は、ポプラ材その他の木質材製で、補強材４としては、好ましくは竹複合材の突板が用いられる。
【００１７】
このように本発明に係るスノーボード製造用素材は、ソール材１として従来のものと同様のポリエチレン製品が用いられる他は木質系素材で構成され、従来のスノーボードにおけるような、ＡＢＳ樹脂製の表面材及びサイドウォール、並びに、スチール製エッジを含まない。そのために本発明に係るスノーボード製造用素材は、一般人であっても切削研磨加工が容易で、廃棄処理することも容易なものとなるのである。
【００１８】
また、本発明に係るスノーボード製造用キットは、上記スノーボード製造用素材と、完成品の型紙となる、通例、複数枚のテンプレートとを少なくとも含み、更に、作り方説明書と、切削工具と、研磨材と、塗装材のうちの１又は複数を含むものである。切削工具としては、例えば、ジグソーが用いられ、研磨材としては、サンドペーパーが用いられる。また、塗装材としては、通例、市販のアクリルウレタンクリアーが用いられる。
【００１９】
本キットによってスノーボードを製造するに当たっては、先ず、好みのテンプレートを選択し、これをスノーボード製造用素材に重ねて接着する。そして、ジグソー等の切削工具を用い、当該素材の周縁部をそのテンプレートの輪郭に沿って切削する。その際、テンプレートの輪郭よりも少し大きめに切削しておくことが好ましい。次いで、切削面を研磨材で研磨して最終形状に仕上げる。その後塗装を施すことにより、好みの形状及びデザインのスノーボードに仕上げることができる。
【００２０】
かくして、本キット購入者は、自ら好みの形態のボードに仕上げていく楽しみを味わいながら、満足のいく個性に富んだスノーボードを入手することが可能となる。そして、完成品は、ポリエチレン製ソール材１と木質系素材製芯材２とから成るため、スノーボードとして十分な強靭性を備えたものとなる。
【符号の説明】
【００２１】
１      ソール材
２      芯材
３      木質系板材
４      補強材
【図１】
0005627473.tif 000002
【図２】
0005627473.tif 000003